(57)【要約】      （修正有）【課題】ラベルが貼付された複数の部品を用いて製品を組み立てるにあたり、複数の部品に対して対応するラベルを適切に貼付させることが簡単に行えるようにすると共に、全ての部品が適切に使用されて製品が組み立てられたかを簡単に確認できるようにする。【解決手段】製品を組み立てるのに用いる各部品に対応した各ラベル１３〜１８を１単位の剥離シート１１上に剥離可能に設けた組立て用ラベルセット１０Ａを用いるようにし、またこの組立て用ラベルセットを連続して形成した組立て用ラベルセット連続体１０を用いるようにした。【選択図】図３
0003130498.tif 000002
【実用新案登録請求の範囲】
【請求項１】
製品を組み立てるのに用いる各部品に対応した各ラベルを１単位の剥離シート上に剥離可能に設けたことを特徴とする組立て用ラベルセット。
【請求項２】
請求項１に記載した組立て用ラベルセットにおいて、上記の各部品に対応した各ラベルの形状及び／又は色彩が異なっていることを特徴とする組立て用ラベルセット。
【請求項３】
請求項１又は請求項２に記載した組立て用ラベルセットにおいて、上記の各ラベルにコード表示部が設けられていることを特徴とする組立て用ラベルセット。
【請求項４】
請求項１〜請求項３の何れか１項に記載した組立て用ラベルセットが連続して形成されていることを特徴とする組立て用ラベルセット連続体。
【考案の詳細な説明】
【技術分野】
【０００１】
この考案は、複数の部品を用いて製品を組み立てる場合に使用する組立て用ラベルセット及びこのような組立て用ラベルセットを分離可能な状態で連続して形成した組立て用ラベルセット連続体に係り、複数の部品に対して対応するラベルを適切に貼付させることが簡単に行えるようにすると共に、全ての部品が適切に使用されて製品が組み立てられたかを簡単に確認できるようにした点に特徴を有するものである。
【背景技術】
【０００２】
従来から、複数の部品を用いて製品を組み立てるにあたり、各部品に対してそれぞれ対応するラベルを貼付し、このようにラベルが貼付された複数の部品を適切に選択して製品を組み立てることが行われている。
【０００３】
ここで、例えば、図１に示すように、４種類の部品１Ａ〜１Ｄにそれぞれ対応するラベル２ａ〜２ｄを貼付させ、このようにラベル２ａ〜２ｄが貼付された４種類の部品１Ａ〜１Ｄを用いて製品を組み立てる場合において、上記のように各部品１Ａ〜１Ｄに対してそれぞれ対応するラベル２ａ〜２ｄを貼付させるにあたっては、一般に図２に示すように、各ラベル２ａ〜２ｄをそれぞれ剥離シート３上に連続して形成した４種類のラベル連続体２Ａ〜２Ｄを製造し、このように製造された４種類のラベル連続体２Ａ〜２Ｄにおける各ラベル２ａ〜２ｄをそれぞれ対応する部品１Ａ〜１Ｄに貼付させるようにしている。
【０００４】
しかし、このように複数のラベル連続体からそれぞれ対応する部品にラベルを貼付させる作業は面倒であり、特に部品の種類が多くなると、ラベルを誤った部品に貼付したり、ラベルを貼付し忘れるなどの貼付ミスが多くなる共に、このような部品を用いて製品を組み立てる場合に、全ての部品が揃っているかの確認が面倒であり、製品を組み立てる際に一部の部品が抜けたりするという問題があった。
【０００５】
また、複数の異なったシールを設けるものとして、従来においては、裏面に粘着層が設けられた表面シートに、付加事項を記入する複数の吹き出しシールと、日付等を記入する日付シールと、タイトル等を記入するタイトルシールとを分離できるようにして裏面シートに剥離可能に設けたシールが提案されている（例えば、特許文献１参照。）。
【０００６】
しかし、このようなシールは、上記のような各シールに適当な書き込みを行ってアルバムの整理等に使用するためのものであり、上記のように複数の部品を用いて製品を組み立てるのに使用するものではなく、複数の部品に対して対応するラベルを適切に貼付させることが簡単に行えるようにしたり、全ての部品が適切に使用されて製品が組み立てられたかを確認できるようにする目的は全く示唆されていないものである。
【特許文献１】実開平４−１１９４７５号公報
【考案の開示】
【考案が解決しようとする課題】
【０００７】
この考案は、ラベルが貼付された複数の部品を用いて製品を組み立てる場合における上記のような問題を解決することを課題とするものであり、複数の部品に対して対応するラベルを適切に貼付させることが簡単に行えるようにすると共に、全ての部品が適切に使用されて製品が組み立てられたかを簡単に確認できるようにすることを課題とするものである。
【課題を解決するための手段】
【０００８】
この考案における組立て用ラベルセットにおいては、上記のような課題を解決するため、製品を組み立てるのに用いる各部品に対応した各ラベルを１単位の剥離シート上に剥離可能に設けるようにした。
【０００９】
ここで、この組立て用ラベルセットにおいては、各部品に対して対応したラベルを簡単に識別して適切に貼付できるようにするため、各ラベルの形状及び／又は色彩を異ならせることが好ましい。
【００１０】
また、この組立て用ラベルセットにおいて、各ラベルにバーコード等のコード表示部を設け、このコード表示部により各種の識別や管理を行うようにすることも可能である。
【００１１】
また、この考案における組立て用ラベルセット連続体においては、上記の組立て用ラベルセットを連続して形成するようにした。なお、この組立て用ラベルセット連続体においては、上記の組立て用ラベルセットを個別に分離できるようにして連続して形成することも可能である。
【考案の効果】
【００１２】
この考案における組立て用ラベルセットにおいては、製品を組み立てるのに用いる各部品に対応した各ラベルを１単位の剥離シート上に剥離可能に設けるようにしたため、この組立て用ラベルセットにおける各ラベルを、製品を組み立てるのに必要な各部品に順々に貼付させることにより、ラベルを誤った部品に貼付したり、ラベルを貼付し忘れるなどの貼付ミスが防止されるようになる。
【００１３】
また、このような部品を用いて製品を組み立てる場合においても、組立て用ラベルセットにおける各ラベルが全て使用されたかを確認することにより、全ての部品が揃っているかの確認も簡単に行え、製品の組み立てる際に一部の部品が抜けたりするのも防止されるようになる。
【考案を実施するための最良の形態】
【００１４】
以下、この考案の実施形態に係る組立て用ラベルセット及び組立て用ラベルセット連続体を添付図面に基づいて具体的に説明する。なお、この考案に係る組立て用ラベルセット及び組立て用ラベルセット連続体は、特に下記の実施形態に示したものに限定されるものではなく、その要旨を変更しない範囲において適宜変更して実施できるものである。
【００１５】
この実施形態の組立て用ラベルセット及び組立て用ラベルセット連続体においては、製品を組み立てるのに使用する６種類の部品に対してそれぞれ対応するラベルを貼付させる場合について説明する。
【００１６】
この実施形態の組立て用ラベルセット連続体１０においては、図３に示すように、連続した剥離シート１１の長手方向に所要間隔を介してミシン目からなる切断用切込み１２を設け、この切断用切込み１２によって分離される１単位の剥離シート１０を各組立て用ラベルセット１０Ａとして用いるようにしている。
【００１７】
ここで、上記の切断用切込み１２によって分離される各組立て用ラベルセット１０Ａにおいては、それぞれ形状が異なる６種類のラベル１３〜１８を剥離可能に設けると共に、各ラベル１３〜１８にそれぞれ各種の識別や管理を行うためのバーコード等のコード表示部１３ａ〜１８ａを設けている。
【００１８】
そして、この実施形態においては、図４に示すように、上記の切断用切込み１２によって１つの組立て用ラベルセット１０Ａを分離させ、このように分離された組立て用ラベルセット１０Ａにおける各ラベル１３〜１８を順々に剥離シート１１から剥離させて、図５に示すように、製品を組み立てるのに使用する６種類の部品２１〜２６に対して、それぞれ対応するラベル１３〜１８を貼付させるようにする。
【００１９】
このようにすると、各ラベル１３〜１８を確認しながら対応する部品２１〜２６に適切に貼付させることができ、ラベル１３〜１８を誤った部品２１〜２６に貼付するのが防止されると共に、組立て用ラベルセット１０Ａにおける各ラベル１３〜１８がなくなったかを確認することにより、製品を組み立てるのに使用する全ての部品２１〜２６にラベル１３〜１８が貼付されたかを確認することができ、ラベル１３〜１８の貼付し忘れも防止されるようになる。
【００２０】
また、このように全ての部品２１〜２６にラベル１３〜１８が貼付されたかを確認することにより、全ての部品２１〜２６が揃っているかの確認も行え、製品を組み立てる際に一部の部品２１〜２６が抜けたりするのも防止できるようになる。
【００２１】
なお、この実施形態においては、１つの組立て用ラベルセット１０Ａに６種類のラベル１３〜１８を設けるようにしたが、１つの組立て用ラベルセットに設けるラベルの数は特に限定されず、製品を組み立てるのに使用する部品の数に応じて適宜変更させるようにし、特に、数多くの種類の部品を用いる場合においても、各部品に対してラベルを貼付し忘れるのが防止されると共に、全ての部品が揃っているかの確認が適切に行えるようになる。
【００２２】
また、この実施形態においては、組立て用ラベルセット１０Ａにおける６種類のラベル１３〜１８を区別させるために、各ラベル１３〜１８の形状を異ならせるようにしたが、各ラベルの色彩を異ならせるようにし、さらに形状と色彩とを組み合わせて数多くのラベルを区別させるようにすることができる。
【００２３】
また、この実施形態においては、組立て用ラベルセット連続体１０から組立て用ラベルセット１０Ａを切断用切込み１２によって分離させた後、各部品２１〜２６に対応する各ラベル１３〜１８を貼付させるようにしたが、組立て用ラベルセット１０Ａを分離させずに、各部品２１〜２６に対応する各ラベル１３〜１８を貼付させるようにすることも可能であり、このため、組立て用ラベルセット連続体１０に、必ずしも上記のような切断用切込み１２を設ける必要はない。
【００２４】
また、この実施形態においては、各ラベル１３〜１８を対応する部品２１〜２６に直接貼付させるようにしたが、各部品２１〜２６のパッケージ（図示せず）などに貼付させることも可能である。また、組立て後の製品における各部品２１〜２６に対して、それぞれ対応するラベル１３〜１８を貼付させて、各部品２１〜２６が全て使用されているかを確認することも可能である。
【図面の簡単な説明】
【００２５】
【図１】従来例において、製品を組み立てる４種類の部品にそれぞれ対応するラベルを貼付させた状態を示した概略正面図である。
【図２】従来例において、４種類のラベルを別々に剥離シート上に連続して形成した４種類のラベル連続体を示した概略平面図である。
【図３】この考案の一実施形態に係る組立て用ラベルセット連続体を示した概略平面図である。
【図４】同実施形態に係る組立て用ラベルセット連続体から切断用切込みによって分離させた１枚の組立て用ラベルセットを示した概略平面図である。
【図５】図４に示した組立て用ラベルセットから剥離させた６種類のラベルを、製品の組み立てに用いる６種類の部品に対応して貼付させた状態を示した概略正面図である。
【符号の説明】
【００２６】
１０  組立て用ラベルセット連続体
１０Ａ  組立て用ラベルセット
１１  剥離シート
１２  切断用切込み
１３〜１８  ラベル
１３ａ〜１８ａ  コード表示部
２１〜２６  部品
【図１】
0003130498.tif 000003
【図２】
0003130498.tif 000004
【図３】
0003130498.tif 000005
【図４】
0003130498.tif 000006
【図５】
0003130498.tif 000007